(57)【要約】【課題】水圧負荷に対して操作性が良い排水栓を提供する。【解決手段】排水栓１は、浴槽の底面に形成された排水口に配設される栓蓋部２０を有する。栓蓋部２０は、浴槽の底面に交差する軸線のまわりに回動することによって上下に動いて開栓および閉栓する。【選択図】図３
2019143412.tif 000002
【特許請求の範囲】
【請求項１】
浴槽の底面に形成された排水口に配設される栓蓋部を有する排水栓であって、
前記栓蓋部は、前記底面に交差する軸線のまわりに回動することによって上下に動いて開栓および閉栓することを特徴とする排水栓。
【請求項２】
前記栓蓋部は、一方向への回動により開栓し、他方向への回動により閉栓することを特徴とする請求項１に記載の排水栓。
【請求項３】
前記栓蓋部の表面に指掛部が設けられていることを特徴とする請求項１または２に記載の排水栓。
【請求項４】
前記軸線を中心とする円周上において、前記軸線の軸方向に傾斜するように設けられたカム面と、前記カム面に接触する接触部とを備え、
前記カム面の勾配が閉栓状態から開栓方向に向かうにつれて急となるように形成されていることを特徴とする請求項１から３のいずれか１項に記載の排水栓。
【発明の詳細な説明】
【技術分野】
【０００１】
本発明は、排水栓に関する。
【背景技術】
【０００２】
湯を溜める浴槽の底部に設けられる排水栓には、排水口を塞ぐゴム栓や、プッシュ式の栓が用いられている。例えば、特許文献１には、浴槽の底面に形成された排水口を覆う栓蓋部、栓蓋部を操作する操作部、および操作部の押操作を栓蓋部に伝達する伝達部を備えた排水栓が開示されている。栓蓋部は、操作部により遠隔操作されて排水口に対して上下動する。
【先行技術文献】
【特許文献】
【０００３】
【特許文献１】特開平２０１２−２０２０８３号公報
【発明の概要】
【発明が解決しようとする課題】
【０００４】
ところで、浴槽に泡を溜めて入浴する場合を考慮して、使用した泡の排出性能を高める、または単純に浴槽内の水の排水時間を短縮するために排水栓のサイズを大きくすると、浴槽に湯水を溜めて入浴する場合には、排水栓にかかる湯水の水圧が大きくなる。特許文献１に記載の排水栓は、排水栓のサイズを大きくすると、操作部における押操作が重くなってしまうという問題点があった。
【０００５】
本発明は、斯かる事情に鑑みてなされたものであり、その目的とするところは、水圧負荷に対して操作性が良い排水栓を提供することにある。
【課題を解決するための手段】
【０００６】
本発明に係る排水栓は、浴槽の底面に形成された排水口に配設される栓蓋部を有する排水栓であって、前記栓蓋部は、前記底面に交差する軸線のまわりに回動することによって上下に動いて開栓および閉栓することを特徴とする。
【発明の効果】
【０００７】
本発明によれば、排水栓は、水圧負荷に対して操作性が良い。
【図面の簡単な説明】
【０００８】
【図１】実施形態に係る排水栓を含む浴槽の外観を示す斜視図である。
【図２】排水栓部分の縦断面図である。
【図３】排水栓の分解斜視図である。
【図４】栓蓋部の下方側から見た斜視図である。
【図５】栓蓋部の側面図である。
【図６】図６（ａ）から図６（ｃ）は、排水栓の動きを説明するための模式図である。
【図７】変形例に係る栓蓋部の側面図である。
【発明を実施するための形態】
【０００９】
以下、本発明を好適な実施の形態をもとに図１から図７を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
（実施形態）
図１は本発明の実施形態に係る排水栓１を含む浴槽８の外観を示す斜視図であり、図２は排水栓１部分の縦断面図である。浴槽８は、底面８１に排水口８２が設けられており、排水口８２の下部に排水部９が接続されている。排水口８２は、底面８１から一段下がった底部８１ａを貫通する貫通孔として形成されている。排水栓１は、浴槽８の排水口８２を覆うように配設されている。排水栓１は、開栓状態で浴槽８内の湯水を排水管側へ排出し、閉栓状態で排水口８２を塞ぎ浴槽８に湯水を溜める。
【００１１】
排水部９は、トラップ部９１、排水管９２およびオーバーフロー配管９３等を備える。浴槽８の下方には浴槽８の湯水が外部に漏れないよう浴槽パン８３が設けられており、排水部９は、浴槽パン８３の内部であって、浴槽８と浴槽パン８３との間の空間に配設されている。トラップ部９１は、トラップ本体９１ａの内部に封水筒体９１ｂが配置され、トラップ本体９１ａの側方へ排水する。封水筒体９１ｂは、排水口８２からの排水をトラップ本体９１ａに流下させて、トラップ本体９１ａに水が溜まった状態に保つ。トラップ部９１は、排水口８２との取付箇所において漏水しないようにパッキン等で水密に封止されている。
【００１２】
トラップ部９１からの排水は、浴槽パン８３を貫通して外部に延びる排水管９２を通して外部に排出される。浴槽パン８３は、排水管９２が貫通する箇所において漏水しないようにパッキン等で水密に封止されている。トラップ部９１にはオーバーフロー配管９３の一端部が接続されている。オーバーフロー配管９３は、浴槽８に設けられたオーバーフロー栓（図示略）に他端部で接続されており、該オーバーフロー栓からの湯水をトラップ部９１へ通流させ、排水管９２を通して排出する。
【００１３】
排水栓１は、フランジ部１０および栓蓋部２０を有しており、フランジ部１０にトラップ部９１の封水筒体９１ｂが取り付けられる。図３は排水栓１の分解斜視図である。フランジ部１０は、円筒状をなし、胴部１１の上端部に外向きに張り出す円環板状の上端縁１２、および胴部１１の下端部に内向きに張り出す円環板状の下端縁１３を有する。胴部１１の下端部の外周には雄螺子１４が形成されている。フランジ部１０は、雄螺子１４をトラップ部９１の対応する孔の内周に形成された雌螺子に螺合させることにより、上端縁１２の下面が浴槽８の底部８１ａに接触し固定される（図２参照）。また、トラップ部９１の封水筒体９１ｂは、上方から下端縁１３へ挿入するようにして取り付けられる。
【００１４】
フランジ部１０の胴部１１の内周面には、内向きに突起し、後述する栓蓋部２０のカム部２２に接触する接触部１５が形成されている。接触部１５は、胴部１１の内周面を周方向に４等分する４箇所に設けられており、上面１５ａにより栓蓋部２０におけるカム部２２のカム面２２ａに接触する。
【００１５】
栓蓋部２０は、円形板状をなす蓋体２１、および蓋体２１の下面２１ｂに設けたカム部２２を有する。蓋体２１には、浴槽８の内側に臨む表面２１ａを穿つようして凹状に形成した指掛部２１ｃが設けられている。指掛部２１ｃは、蓋体２１の中心を含み半径方向に延び、周縁部の一部を切り欠くように形成されている。
【００１６】
図４は栓蓋部２０の下方側から見た斜視図であり、図５は栓蓋部２０の側面図である。カム部２２は、蓋体２１と同軸の円筒を下方側から切欠き、下方に臨むカム面２２ａを形成している。カム部２２の外周面の直径は、フランジ部１０の胴部１１の内周面の直径よりもやや小さい。カム面２２ａは、円周方向に４等分した各円弧において同一の形状となっている。カム面２２ａは、一端部２２ｂから他端部２２ｃへ向かうにつれて栓蓋部２０の軸線方向、即ち蓋体２１およびカム部２２の軸線方向の下方側へ向かうように傾斜している。
【００１７】
カム面２２ａは、一端部２２ｂでの勾配は緩やかであり、一端部２２ｂから他端部２２ｃへ向かうにつれて勾配が急となる。カム面２２ａの一端部２２ｂにおける勾配は、ほぼ水平に等しい。排水栓１は、カム面２２ａの一端部２２ｂにフランジ部１０の接触部１５が接触しているときに閉栓状態となり、カム面２２ａの他端部２２ｃに接触部１５が接触しているときに開栓状態となる。接触部１５が接触するカム面２２ａの勾配は、閉栓状態においては緩やかであり、閉栓状態から開栓方向に向かうにつれて急となっている。栓蓋部２０は、その軸線が浴槽８の底面８１に交差しており、軸線まわりに回動させることによって、接触部１５がカム面２２ａを滑り、上下動するように機能する。
【００１８】
カム面２２ａの他端部２２ｃ側の角には下方へ突起する回転規制部２２ｄが設けられており、該回転規制部２２ｄにフランジ部１０の接触部１５が接触して止まる。他端部２２ｃにおいて、回転規制部２２ｄの手前にはカム面２２ａが水平となる平坦部分を接触部１５の幅寸法分設けてあり、該平坦部分を挟んで回転規制部２２ｄよりも下方への突起の程度が小さい突起部２２ｅが設けられている。
【００１９】
カム面２２ａの一端部２２ｂは、隣り合う他端部２２ｃの基端部２２ｆが下方に延びるように形成されており、該基端部２２ｆにフランジ部１０の接触部１５が接触して止まる。
【００２０】
栓蓋部２０の蓋体２１におけるカム部２２の外側の下面２１ｂは、閉栓状態において、フランジ部１０の上端縁１２の上面１２ａに僅かな隙間を空けて対向する。栓蓋部２０は、蓋体２１の下面２１ｂにおけるカム部２２の外側に円環状のパッキン３０（図２参照）を設け、上端縁１２との間を水密に封じる。
【００２１】
次に排水栓１の動作について説明する。上述のように、排水栓１のフランジ部１０は、浴槽８の排水口８２に固定されている。栓蓋部２０は、フランジ部１０の胴部１１にカム部２２を上方から挿入するようにして取り付けられる。フランジ部１０の胴部１１に形成された接触部１５は、栓蓋部２０のカム面２２ａに接触している。栓蓋部２０は、その軸線が浴槽８の底面８１に交差しており、軸線まわりに回動させることによって、接触部１５がカム面２２ａを滑り、上下動する。
【００２２】
図６（ａ）から図６（ｃ）は、排水栓１の動きを説明するための模式図である。図６（ａ）に示す状態においては、フランジ部１０の胴部１１に設けられた接触部１５がカム面２２ａの一端部２２ｂに接触し、栓蓋部２０の蓋体２１がフランジ部１０の上端縁１２の上面１２ａに最も接近し、パッキン３０によって閉栓状態となる。
【００２３】
栓蓋部２０を浴槽８側から見て左回りに回動（半時計方向へ回動）させると、図６（ｂ）に示すように、接触部１５のカム面２２ａにおける接触位置が変わり、栓蓋部２０が上昇する。栓蓋部２０が上昇し、パッキン３０がフランジ部１０の上端縁１２の上面１２ａから離れることにより、排水栓１が開き、浴槽８の湯水が排水され始める。排水栓１は、栓蓋部２０を水圧負荷に抗して直接持ち上げて上昇させるのではなく、栓蓋部２０を回動させることによって、カム動作によって栓蓋部２０が持ち上がるので、水圧負荷に対して操作性が良い。
【００２４】
また、栓蓋部２０を閉栓状態から開栓方向へ回動させる際の動き始めにおいて、カム面２２ａの勾配が一端部２２ｂにおいて緩やかであるため、栓蓋部２０の上昇量が小さく、浴槽８に溜められた湯水による水圧負荷の影響を受け難いので、動き出しが滑らかになり、操作性が更に良くなる。
【００２５】
栓蓋部２０を回動させることによって、排水栓１が開き始めると、浴槽８に溜められた湯水の水圧負荷が排水口８２へ逃げるため、栓蓋部２０にかかる水圧負荷は軽減される。図６（ｂ）に示す状態から、更に栓蓋部２０を浴槽８側から見て左回りに回動させると、接触部１５が接触するカム面２２ａの勾配が徐々に急となっていくが、開栓によって栓蓋部２０にかかる水圧負荷は軽減された状態となっているので、回動させ易く操作性が良い。
【００２６】
栓蓋部２０の回動は、接触部１５が突起部２２ｅを乗り越え、図６（ｃ）に示すように回転規制部２２ｄに接触した状態で止まり、排水栓１が完全に開いた開栓状態となる。接触部１５は、回転規制部２２ｄおよび突起部２２ｅの間に位置することで、回転規制部２２ｄおよび突起部２２ｅによって両方向への回動が制限される。
【００２７】
排水栓１を閉栓状態にするには、栓蓋部２０を逆方向、即ち浴槽８側から見て右回りに回動（時計方向へ回動）させる。接触部１５が突起部２２ｅを乗り越えるだけの操作力をかけると、接触部１５がカム面２２ａに接触しつつ栓蓋部２０が回転し、図６（ｂ）に示す状態を経て、図６（ａ）に示す閉栓状態に戻る。接触部１５は、カム面２２ａの一端部２２ｂにおいて、隣り合う基端部２２ｆに接触した状態で止まる。
【００２８】
排水栓１は、開栓する際に一方向、即ち浴槽８側から見て左回りに栓蓋部２０を回動させ、閉栓する際に他方向、即ち浴槽８側から見て右回りに栓蓋部２０を回動させるように構成されている。これにより、排水栓１は、栓蓋部２０の回動操作が単純で判り易く、ユーザの利便性が向上する。
【００２９】
また、排水栓１は、閉栓状態および開栓状態において、栓蓋部２０を回転させる操作をしない限り、上下方向には動かないので、栓蓋部２０の上下方向の位置が安定する。
【００３０】
栓蓋部２０の浴槽８の内側を望む表面２１ａに指掛部２１ｃが設けられているので、排水栓１は、ユーザが指掛部２１ｃに手指を掛けて栓蓋部２０を回動操作させることができる。指掛部２１ｃは、上述のように蓋体２１の中心を含み半径方向に延び、周縁部の一部を切り欠くように形成されている。ユーザは、例えば、指掛部２１ｃの蓋体２１の中心付近と周縁部とに手指を掛け、周縁部を回動操作する方向へ力を与えつつ、中心付近を抑えるように力を与えることで、容易に栓蓋部２０を回動させることができる。
【００３１】
次に、実施形態の排水栓１の特徴を説明する。
本発明の実施形態の排水栓１は、浴槽８の底面８１に形成された排水口８２に配設される栓蓋部２０を有する。栓蓋部２０は、底面８１に交差する軸線のまわりに回動することによって上下に動いて開栓および閉栓する。これにより、排水栓１は、栓蓋部２０を回動させることによって、カム動作によって栓蓋部２０が持ち上がるので、水圧負荷に対して操作性が良い。
【００３２】
また栓蓋部２０は、一方向への回動により開栓し、他方向への回動により閉栓する。これにより、排水栓１は、栓蓋部２０の回動操作が単純で判り易く、ユーザの利便性が向上する。
【００３３】
また栓蓋部２０は、蓋体２１の表面２１ａに指掛部２１ｃが設けられている。これにより、排水栓１は、ユーザが指掛部２１ｃに手指を掛けて栓蓋部２０を回動操作させることができる。
【００３４】
また排水栓１は、栓蓋部２０の軸線を中心とする円周上において、軸線の軸方向に傾斜するように設けられたカム面２２ａと、カム面２２ａに接触する接触部１５とを備える。カム面２２ａの勾配は、閉栓状態から開栓方向に向かうにつれて急となるように形成されている。これにより、排水栓１は、閉栓状態から開栓方向へ回動させる際の動き出しが滑らかになり、操作性が良くなる。
【００３５】
（変形例）
図７は、変形例に係る栓蓋部２０の側面図である。この変形例における栓蓋部２０は、カム面２２ａの他端部２２ｃに形成した回転規制部２２ｄの先端部を更に一端部２２ｂ方向へ屈曲させたものである。栓蓋部２０は、開栓状態において、上方へ抜き去るような力が加わっても、接触部１５の下側が回転規制部２２ｄの先端部に掛かって上方向へ抜け出さないようになっている。
【００３６】
上述の実施形態および変形例では、栓蓋部２０にパッキン３０を設けているが、フランジ部１０側にパッキン３０を設けるようにしてもよい。また、栓蓋部２０に設けられているカム部２２をフランジ部１０の胴部１１の内周面に設け、フランジ部１０の胴部１１に設けられている接触部１５を栓蓋部２０に設けるようにしてもよい。
【００３７】
また、上述の実施形態および変形例では、カム面２２ａの勾配は、一端部２２ｂ側で緩やかであり、他端部２２ｃ側に向かうにつれて急になるようにしているが、一端部２２ｂ側から他端部２２ｃ側にかけて勾配が一定であってもよい。
【００３８】
また、栓蓋部２０の蓋体２１の表面２１ａに設けた指掛部２１ｃは、ユーザが手指を掛けて、栓蓋部２０を回動させることができるものであれば、実施形態に示した形態に限られない。指掛部２１ｃは、例えば、凸状に設けてもよいし、大きさや長さを変更し、蓋体２１の表面に複数設けるようにしてもよい。
【００３９】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４０】
１  排水栓、  １５  接触部、  ２０  栓蓋部、  ２１ｃ  指掛部、
２２ａ  カム面、  ８  浴槽、  ８１  底面、  ８２  排水口。
【図１】
2019143412.tif 000003
【図２】
2019143412.tif 000004
【図３】
2019143412.tif 000005
【図４】
2019143412.tif 000006
【図５】
2019143412.tif 000007
【図６】
2019143412.tif 000008
【図７】
2019143412.tif 000009